(57)【要約】【課題】  開口部を迅速かつ確実に開口して一枚ずつ取り外すことができ、かつ、収容物に接触することなく衛生的にも優れた樹脂製袋積層体を提供すること。【解決手段】  熱可塑性樹脂材料からなる前面シート材１と背面シート材２とを対面して重ねて、これら重畳したシート材間における上部の開口部31と、下部の袋底32とにより袋部３を成す袋体Ｐを構成して、前記前面シート材１の上部には、手前側に折り返されて側縁で止着された折返しポケット11を形成する一方、背面シート材２の上部には、前記前面シート材１の折返しポケット11の上縁よりも突出した耳部21を形成して、これら複数の袋体Ｐ・Ｐ…を接合部４により接合して一体に積層し、前記折返しポケット11の内部に指先を挿入して手前側に引くことによって、袋部３の開口部31を開口可能にするという技術的手段を採用した。【選択図】  図１
2020066468.tif 000002
【特許請求の範囲】
【請求項１】
熱可塑性樹脂材料からなる前面シート材と背面シート材とが対面して重なり、これら重畳したシート材間における上部の開口部と、下部の袋底とにより袋部を成す袋体が構成されており、
前記前面シート材の上部には、手前側に折り返されて側縁で止着された折返しポケットが形成されている一方、
背面シート材の上部には、前記前面シート材の折返しポケットの上縁よりも突出した耳部が形成されており、
これら複数の袋体が接合部により接合されて一体に積層されており、
前記折返しポケットの内部に指先を挿入して手前側に引くことによって、袋部の開口部が開口可能であることを特徴とする樹脂製袋積層体。
【請求項２】
前面シート材の折返しポケットの上縁に貫通孔が形成され、指先を挿通可能にしたことを特徴とする請求項１記載の樹脂製袋積層体。
【請求項３】
前面シート材の折返しポケットの貫通孔の端縁が、当該折返しポケットの上縁の直交方向に向いて形成されていることを特徴とする請求項２記載の樹脂製袋積層体。
【請求項４】
背面シート材に吊支孔が形成されており、この吊支孔と貫通孔とに指先を挿入して、袋体を保持可能であることを特徴とする請求項２または３記載の樹脂製袋積層体。
【請求項５】
前面シート材の折返しポケットの内側面同士が部分的に止着されて一対の規制部が形成されており、これら規制部間に、指先を挿入して手前側に引くことができることを特徴とする請求項１〜４の何れか一つに記載の樹脂製袋積層体。
【請求項６】
袋部の外周縁にサイドシールが形成されており、このサイドシールよりも外側に接合部が設けられていることを特徴とする請求項１〜５の何れか一つに記載の樹脂製袋積層体。
【請求項７】
背面シート材の耳部にミシン目が形成されており、
前記折返しポケットの内部に指先を挿入して手前側に引くことによって、このミシン目が切断されて、袋体が一枚ずつ取外し可能であることを特徴とする請求項１〜６の何れか一つに記載の樹脂製袋積層体。
【発明の詳細な説明】
【技術分野】
【０００１】
本発明は、樹脂製袋の改良、更に詳しくは、開口部を迅速かつ確実に開口して一枚ずつ取り外すことができ、かつ、収容物に接触することなく衛生的にも優れた樹脂製袋積層体に関するものである。
【背景技術】
【０００２】
スーパーマーケットやパン屋などにおいて、商品等を収容（包装）するためには、薄手の合成樹脂製袋が使用されており、この合成樹脂製袋は、ロール状に連続成形したものを一つずつちぎって使用するもの（所謂「ロールポリ袋」）が多く採用されている。
【０００３】
ところが、かかるロール状のものは、袋ごとの切り離し作業が面倒であり、しかも、袋の開口部を開く際にも、袋の生地は薄く、静電気などで生地同士が密着しやすいことから、商品等を収容するまでに非常に手間がかかるという問題があった。
【０００４】
そこで、一枚単位に成形された袋体を積層して、一枚ずつちぎって使用できるものが開示されている（例えば、特許文献１および２参照）。
【０００５】
しかしながら、これらの構造では、ミシン目に沿って袋体を切り離して使用する方法として、袋体の下端を持って引きちぎる方法が考えられるが、袋体同士が静電気等で密着しやすいために、誤って複数枚を摘んで引きちぎってしまうおそれがあり、袋が無駄になってしまうという問題がある。
【０００６】
また、このちぎり方で切り離した袋体は、結局は開口部が閉じているため、前記のような従前の袋体と同一の課題に直面するという使い勝手の悪さがある。
【０００７】
次に、袋体の開口部に手を差し入れて袋を引っ張る方法も考えられるが、食品を収容する場合、特に、パンなどの購入後の商品を直接口にする食品などの場合には、不可避的に袋体の内側面を素手で触ることになるため、手に付いた雑菌などが袋体の内側面に付着するおそれがあり不衛生であるという問題がある。
【先行技術文献】
【特許文献】
【０００８】
【特許文献１】実開昭５１−４５０２８号公報
【特許文献２】特開２００８−４４１１７号公報
【発明の概要】
【発明が解決しようとする課題】
【０００９】
本発明は、従来の樹脂製袋体に上記のような問題があったことに鑑みて為されたものであり、その目的とするところは、開口部を迅速かつ確実に開口して一枚ずつ取り外すことができ、かつ、収容物に接触することなく衛生的にも優れた樹脂製袋積層体を提供することにある。
【課題を解決するための手段】
【００１０】
本発明者が上記技術的課題を解決するために採用した手段を、添付図面を参照して説明すれば、次のとおりである。
【００１１】
即ち、本発明は、熱可塑性樹脂材料からなる前面シート材１と背面シート材２とを対面して重ねて、これら重畳したシート材間における上部の開口部31と、下部の袋底32とにより袋部３を成す袋体Ｐを構成して、
前記前面シート材１の上部には、手前側に折り返されて側縁で止着された折返しポケット11を形成する一方、
背面シート材２の上部には、前記前面シート材１の折返しポケット11の上縁よりも突出した耳部21を形成して、
これら複数の袋体Ｐ・Ｐ…を接合部４により接合して一体に積層し、
前記折返しポケット11の内部に指先を挿入して手前側に引くことによって、袋部３の開口部31を開口可能にするという技術的手段を採用したことによって、樹脂製袋積層体を完成させた。
【００１２】
また、本発明は、上記課題を解決するために、必要に応じて上記手段に加え、前面シート材１の折返しポケット11の上縁に貫通孔11ａを形成して、指先を挿通可能にするという技術的手段を採用することができる。
【００１３】
更にまた、本発明は、上記課題を解決するために、必要に応じて上記手段に加え、前面シート材１の折返しポケット11の貫通孔11ａの端縁を、当該折返しポケット11の上縁の直交方向に向けて形成するという技術的手段を採用することもできる。
【００１４】
更にまた、本発明は、上記課題を解決するために、必要に応じて上記手段に加え、背面シート材２に吊支孔22を形成して、この吊支孔22と貫通孔11ａとに指先を挿入して、袋体Ｐを保持可能にするという技術的手段を採用することもできる。
【００１５】
更にまた、本発明は、上記課題を解決するために、必要に応じて上記手段に加え、前面シート材１の折返しポケット11の内側面同士を部分的に止着して一対の規制部11ｂ・11ｂを形成して、これら規制部11ｂ・11ｂ間に、指先を挿入して手前側に引くことができるようにするという技術的手段を採用することもできる。
【００１６】
更にまた、本発明は、上記課題を解決するために、必要に応じて上記手段に加え、袋部３の外周縁にサイドシール33を形成して、このサイドシール33よりも外側に接合部４を設けるという技術的手段を採用することもできる。
【００１７】
更にまた、本発明は、上記課題を解決するために、必要に応じて上記手段に加え、背面シート材２の耳部21にミシン目23を形成して、
前記折返しポケット11の内部に指先を挿入して手前側に引くことによって、このミシン目23を切断して、袋体Ｐを一枚ずつ取外し可能にするという技術的手段を採用することもできる。
【発明の効果】
【００１８】
本発明は、熱可塑性樹脂材料からなる前面シート材と背面シート材とを対面して重ねて、これら重畳したシート材間における上部の開口部と、下部の袋底とにより袋部を成す袋体を構成して、前記前面シート材の上部には、手前側に折り返されて側縁で止着された折返しポケットを形成する一方、背面シート材の上部には、前記前面シート材の折返しポケットの上縁よりも突出した耳部を形成して、これら複数の袋体を接合部により接合して一体に積層したことにより、
前記折返しポケットの内部に指先を挿入して手前側に引くことによって、袋部の開口部を開口可能にした。
【００１９】
したがって、本発明の樹脂製袋積層体によれば、折返しポケットの操作によって、開口部を迅速かつ確実に開口して一枚ずつ取り外すことができる。
【００２０】
また、開口性が良いために、収容物に接触する必要がないことから、衛生的にも優れており、産業上の利用価値は頗る大きいものといえる。
【図面の簡単な説明】
【００２１】
【図１】本発明の第１実施形態の樹脂製袋積層体を表わす全体斜視図である。
【図２】本発明の第１実施形態の袋体の構造を表わす側面端面図である。
【図３】本発明の第１実施形態の樹脂製袋積層体の変形例を表わす全体斜視図である。
【図４】本発明の第１実施形態の樹脂製袋積層体の変形例を表わす全体斜視図である。
【図５】本発明の第１実施形態の樹脂製袋積層体の変形例を表わす全体斜視図である。
【図６】本発明の第１実施形態の樹脂製袋積層体の変形例を表わす全体斜視図である。
【図７】本発明の第１実施形態の樹脂製袋積層体の変形例を表わす全体斜視図である。
【図８】本発明の第１実施形態の樹脂製袋積層体の変形例を表わす全体斜視図である。
【図９】本発明の第２実施形態の樹脂製袋積層体を表わす全体斜視図である。
【図１０】本発明の第２実施形態の樹脂製袋積層体を表わす全体斜視図である。
【図１１】本発明の第２実施形態の袋体を表わす全体斜視図である。
【図１２】本発明の第３実施形態の樹脂製袋積層体を表わす全体斜視図である。
【図１３】本発明の第３実施形態の樹脂製袋積層体を表わす全体斜視図である。
【発明を実施するための形態】
【００２２】
『第１実施形態』
本発明の第１実施形態を図１から図８に基づいて説明する。図１中、符号１で指示するものは前面シート材であり、符号２で指示するものは背面シート材である。また、符号３で指示するものは袋部であり、符号４で指示するものは接合部である。
【００２３】
本発明の樹脂製袋積層体を構成するにあっては、まず、熱可塑性樹脂材料からなる前面シート材１と背面シート材２とを対面して重ね合わせる。本実施形態では、この熱可塑性樹脂材料として、ポリエチレン（ＰＥ）、ポリプロピレン（ＰＰ）などのポリオレフィン系樹脂、ポリエチレンテレフタレート（ＰＥＴ）、ナイロンなどを採用することができる。
【００２４】
そして、これら重畳したシート材間における上部の開口部31と、下部の袋底32とにより袋部３を成す袋体Ｐが構成されている。
【００２５】
前面シート材１と背面シート材２との重ね合わせの方法としては、通常は、袋底32において折り返して重ね合わせる方法が、成形上容易であるとともに底抜けを防止することができることから好ましい。この際、更に、袋底32においてガゼットを形成して、袋体の容量を大きくすることもできる。そして、袋部３の側縁はサイドシール33によって止着する。このサイドシールは熱融着により行うことができるが、接着剤等を使用することもできる。
【００２６】
そして、前記前面シート材１の上部には、手前側に折り返されて側縁で止着された折返しポケット11を形成する（図２参照）。本実施形態では、連続するシート材を折り返して一体成形する方法が、製造工程が単純で好ましいが、帯状部材を別に用意して、前面シート材１の上縁とこの帯状部材の上縁とを止着してポケット構造を形成しても良い。なお、折返しポケット11の側縁は、袋部３の側縁を構成するサイドシール33と同様に止着する。
【００２７】
また、背面シート材２には吊支孔22を形成し、この吊支孔22にフック等を挿通することによって、積層体を支持することができる。この吊支孔22は、耳部21の中央に円形の孔を１箇所設けるものであっても良いし、対称的に２箇所設けたり、孔の形状を他の打ち抜き形状や線形のスリット状にすることもできる。
【００２８】
本実施形態では、図３に示すように、前面シート材１の折返しポケット11の内側面同士を部分的に止着して一対の規制部11ｂ・11ｂを形成して、これら規制部11ｂ・11ｂ間に、指先を挿入して手前側に引くことができる。こうすることにより、折返しポケット11の捲れ上がりを防止して引っ張りやすくすることができる。規制部11ｂの止着は熱融着により行うことができるが、接着剤等を使用することもできる。
【００２９】
そして、背面シート材２の上部には、前記前面シート材１の折返しポケット11の上縁よりも突出した耳部21が形成される。本実施形態では、前面シート材１と背面シート材２とが同一形状であって、折返しポケット11の部分を手前に折り返すと、折返しポケット11と同じ大きさの耳部21が形成されることになる。
【００３０】
然る後、これら複数の袋体Ｐ・Ｐ…を接合部４により接合して一体に積層する。この接合手段としては、加熱したホットピンを串刺しにして熱融着する方法や、接着剤または粘着材の塗布などを採用することができる。
【００３１】
そして、前記折返しポケット11の内部に指先を挿入して手前側に引くことによって、袋部３の開口部31を開口することができる。
【００３２】
なお、接合部４を設ける位置や面積は袋の開口部31の開口性や使い勝手に影響する。即ち、ある程度の接合強度を有しないと前面シート材１と背面シート材２とが離れないために開口部31の開口性を得られないが、逆に、袋体同士の接合強度が大きすぎると、袋体の中に物品を収容してこの袋体を取り外す際に、次の袋体を連れてきてしまうという問題がある。
【００３３】
接合部４の態様には以下のようなものがある。まず、図４に示すように、接合部４を耳部21の中央の１箇所に設けることができ、折返しポケット11を引っ張る指先の位置に近いため、引っ張り動作に連動して、当該接合部４を脱離しやすい。
【００３４】
また、袋部３の外周縁にサイドシール33を形成して、このサイドシール33よりも外側に接合部４を設けることもでき、図５および図６に示すように、袋底32付近に設けることができる。この位置の場合、手前の袋体を引っ張るとき、残りの袋体の上部は吊支孔22のフックに掛止しているため、そこが支点となって接合部４をスムースに脱離することができる。なお、サイドシール33よりも外側であれば、もしも接合部４の脱離の際にシート材が引きちぎれて穴が空いてしまっても、収容物がこぼれるおそれがない。
【００３５】
また、図７および図８に示すように、積層した袋体の側面に接合部４を設けることもできる。この場合、接合部４の脱離の際にシート材に穴が空くおそれがない。
【００３６】
『第２実施形態』
次に、本発明の第２実施形態を図９から図１１に基づいて説明する。本実施形態では、前面シート材１の折返しポケット11の上縁に貫通孔11ａを形成して、指先を挿通可能にした点に特徴がある（図９参照）。このように構成したことによって、指が引っ掛かり易くなるため、引っ張り動作が確実になり、開口部31の開口性を向上させることができる。
【００３７】
本実施形態では、図１０に示すように、前面シート材１の折返しポケット11の貫通孔11ａの端縁を、当該折返しポケット11の上縁の直交方向に向けて形成することもできる。具体的には、貫通孔11ａの形状を半小判状の長円形にするのが好ましい。こうすることによって、折返しポケット11を引っ張った際に貫通孔11ａの端縁から外側に裂けるのを防止することができる。
【００３８】
また、本実施形態では、背面シート材２に吊支孔22を形成して、この吊支孔22と貫通孔11ａとに指先を挿入して、袋体Ｐを保持可能にすることもできる。この際、貫通孔11ａおよび吊支孔22の形状を半小判状の長円形にすることによって（図１１参照）、袋体を持ち上げたときに孔が外側に裂けるのを防止することができる。なお、貫通孔11ａおよび吊支孔22は、製造工程において同時に打ち抜いて成形することができ、両手の把持位置を一致させることができる。
【００３９】
『第３実施形態』
次に、本発明の第３実施形態を図１２および図１３に基づいて説明する。本実施形態では、背面シート材２の耳部21にミシン目23を形成して、前記折返しポケット11の内部に指先を挿入して手前側に引くことによって、このミシン目23を切断して、袋体Ｐを一枚ずつ取り外すことができる。
【００４０】
ミシン目23は、図１２に示すように、袋体の左右に亙って直線状に設けることができる。この際、ミシン目23の切断部と非切断部とのピッチを変更することによって、切り離し強度を調節することができる。
【００４１】
また、図１３に示すように、吊支孔22の上縁から袋体の上縁に亙ってミシン目23を設けることもできる。こうすることにより、袋体Ｐを取り外す際に吊支孔22からフックを引き抜かずに取り外すことができ、かつ、耳部21が残らないように完全に取り外すことができる。
【００４２】
本発明は、概ね上記のように構成されるが、図示の実施形態に限定されるものでは決してなく、「特許請求の範囲」の記載内において種々の変更が可能であって、例えば、本発明の袋体は、食品に限らず、物品を収容することもでき、袋体の全長を大きくすることによって傘などの長尺物を収容することもでき、本発明の技術的範囲に属する。
【符号の説明】
【００４３】
１    前面シート材
11    折返しポケット
11ａ  貫通孔
11ｂ  規制部
２    背面シート材
21    耳部
22    吊支孔
23    ミシン目
３    袋部
31    開口部
32    袋底
33    サイドシール
４    接合部
Ｐ    袋体
【図１】
2020066468.tif 000003
【図２】
2020066468.tif 000004
【図３】
2020066468.tif 000005
【図４】
2020066468.tif 000006
【図５】
2020066468.tif 000007
【図６】
2020066468.tif 000008
【図７】
2020066468.tif 000009
【図８】
2020066468.tif 000010
【図９】
2020066468.tif 000011
【図１０】
2020066468.tif 000012
【図１１】
2020066468.tif 000013
【図１２】
2020066468.tif 000014
【図１３】
2020066468.tif 000015